(57)【特許請求の範囲】
【請求項１】
地下埋設設備の本体となる制御盤を、一方が開放し他方が閉鎖された筒状の収納容器に収納し、この収納容器を開放側を下にしてハンドホール内に設置し、前記収納容器内の空気により制御盤への浸水を防ぐようにした地下埋設設備において、
前記収納容器は、前記ハンドホール内の所定位置に浮上防止構造を用いて固定され、前記制御盤は、該制御盤を支持する制御盤支持台上に固定されると共に、該制御盤支持台は、前記収納容器に着脱自在に取り付けられ、前記浮上防止構造は、前記ハンドホールの底面に固定された支柱と、該支柱の上部に取り付けられて前記収納容器の頭部を押さえる保持板とを備え、前記保持板は、前記支柱に対して着脱可能にねじ止めされていることを特徴とする地下埋設設備における制御盤の取り付け構造。
【請求項２】
前記制御盤の取り付けは、前記制御盤の基部を前記制御盤支持台にねじ止めすると共に、前記制御盤支持台の基部を前記収納容器の基部にねじ止めすることで、着脱自在な取り付けを行うようにしたことを特徴とする請求項１記載の地下埋設設備における制御盤の取り付け構造。
【請求項３】
前記支柱は、前記収納容器の周囲に複数本設けられていることを特徴とする請求項１又は２記載の地下埋設設備における制御盤の取り付け構造。
【発明の詳細な説明】
【０００１】
【発明の属する技術分野】
本発明は、マンホールポンプの制御盤等の防水機能を備えた地下埋設設備における制御盤の取り付け構造に係り、特に制御盤部分を含めた構造のメンテナンス上の改良に関する。
【０００２】
【従来の技術】
工場・家庭用排水や雨水等の下水は、下水道の高低差を利用して汚水処理場まで送られるが、この高低差を長距離に亘って維持するのは困難であるから、所定の間隔で設けられるマンホールにおけるマンホールポンプにより下水をポンプアップして上記高低差を調整している。
一般に、マンホールポンプの運転を制御する制御盤は、地上に建てられたコンクリート等の支柱に取り付けられる。しかし、制御盤は一定の設置スペースを必要とするため、歩道上に建てた支柱に制御盤を取り付けると、歩行者等の通行に支障を来す場合がある。
【０００３】
このため、マンホールポンプの制御盤を設置するときに、制御盤の取り付け支柱を歩道等に建てるのではなく、近隣の私有地に建てざるをえない場合もある。この場合、必ずしも当該私有地の所有者の了承を得られるとは限らず、このような事情から、マンホールポンプの制御盤を地下に埋設するようにすることが提唱されている。
【０００４】
しかし、マンホールポンプの制御盤を地下に埋設する場合、大雨等の浸水に備えて、制御盤を防水構造とするなど、防水対策を施す必要があるが、従来の防水対策では高価な防水部材を用いて防水シールド構造とするため、制御盤の製造コストや設置コストの増大を招くという問題があった。
そこで、この解決策として、上記制御盤等の地下埋設装置に上方から収納容器を被せ、収納容器に密閉した空気により、制御盤等の地下埋設装置が水没した場合でも、地下埋設装置への浸水を防ぐようにした防水機能を備えた地下埋設設備が実用に供されている。
【０００５】
この従来の防水機能を備えた地下埋設設備の構成を図２を用いて説明する。
図２は、前記地下埋設設備５０の概略構成を示す縦断正面図である。
同図において、５１は地下埋設装置であるマンホールポンプ（図示せず）の制御盤であり、制御盤５１は、図示しない電源から、電源ケーブル５２を介して電力が供給される。そして、図示は省略したが、マンホール内に設置した水位検出器によって検出されるマンホール内の水位に対応して、マンホールポンプの運転を制御する。
また、５５は制御盤５１を上方から収納する収納容器であり、地面ＧＲから地中１〜２ｍ程度の深さに制御盤５１を埋設するための穴が掘られ、当該穴に内周面及び底面に土砂の崩落を防止し、地下水等の浸入を防ぐためのハンドホール（以下ＨＬと略す）６０が設けられている。
【０００６】
また、５３は、マンホールポンプの制御盤５１を収納容器５５に収納してＨＬ６０に設置する場合に、クレーン等で吊り上げるためのフックである。制御盤５１は、収納容器５５の下部に取り付けられた支持具５７により固定支持されている。５６は収納容器５５の支持台で、収納容器５５が載置されている。
制御盤５１の保守点検の際には、収納容器５５を支持台５６より取り外し、制御盤５１を支持具５７で収納容器５５内に固定支持した状態で、フック５３により収納容器５５ごとクレーン等により吊り上げ、その後、収納容器５５から制御盤５１を取り出し、保守点検等のメンテナンス作業を行う。
なお、ＨＬ６０には蓋６１が被せられ、通行人等の落下及び雨水等の流入を防止するようにしている。また、６２は排水口６２ａ、排水管６２ｂ等から成る排水設備であり、ＨＬ６０内部に浸入した水を排水管６２ｂを介してマンホールに排出する。
【０００７】
以上の構成において、大雨や洪水等により地下埋設設備が設置された地面ＧＲが冠水し、ＨＬ６０内に水が浸入し、排水設備６２による排水が間に合わずに当該ＨＬ６０内部が水没した場合でも、収納容器５５内の空気は収納容器５５内に閉じこめられて外部に漏れ出すことがないので、空気の内圧により水の浸入を防止し、制御盤５１の主要部が冠水することを防ぐことができる。
また、制御盤５１の下方部にも電源ケーブル５２とのコネクタ５８等の絶縁を必要とする部分があるため、収納容器５５は、制御盤５１の下方部も含めてほぼ完全に覆うように、制御盤５１を収納する底の深い形状をしている。
【０００８】
【発明が解決しようとする課題】
ところで、従来の地下埋設設備の場合、前記のように収納容器５５は支持台５６上に載置されているから、制御盤５１の保守点検の際には、収納容器５５を支持台５６より取り外し、制御盤５１を支持具５７で収納容器５５内に固定支持した状態で、フック５３に対してクレーンのワイヤーをかけて予め取り除かれた上蓋から収納容器ごと吊り上げて地上に取り出して、その後、収納容器５５から制御盤５１を取り出し、必要な保守点検のメンテナンス作業を行うことになる。
この場合、収納容器から制御盤を取り出すときは、両者の組み付け構造上、一旦、収納容器を横倒しした状態において制御盤を取り出すことになり、このようなメンテナンス作業は煩雑であり、制御盤を簡単に収納容器から取り出すための構造の改善が求められていた。
本発明は、上記課題（問題点）を解決し、さらに、冠水時の収納容器の浮き上がりを防止でき、地震の際の倒壊も防止でき、しかも収納容器から制御盤を簡単に取り出すことができる地下埋設設備における制御盤の取り付け構造を提供することを目的とする。
【０００９】
【課題を解決するための手段】
本発明の地下埋設設備における制御盤の取り付け構造は、基本的には、請求項１に記載するように、地下埋設設備の本体となる制御盤を、一方が開放し他方が閉鎖された筒状の収納容器に収納し、この収納容器を開放側を下にしてハンドホール内に設置し、前記収納容器内の空気により制御盤への浸水を防ぐようにした地下埋設設備において、前記収納容器は、前記ハンドホール内の所定位置に浮上防止構造を用いて固定され、前記制御盤は、該制御盤を支持する制御盤支持台上に固定されると共に、該制御盤支持台は、前記収納容器に着脱自在に取り付けられ、前記浮上防止構造は、前記ハンドホールの底面に固定された支柱と、該支柱の上部に取り付けられて前記収納容器の頭部を押さえる保持板とを備え、前記保持板は、前記支柱に対して着脱可能にねじ止めされていることを特徴とする。
このように構成すると、保守点検の際に、収納容器に対する浮上防止構造の支柱に対する上方の固定ボルトを緩めることにより、収納容器をハンドホールから取り出し、制御盤支持台と収納容器との固定を解除し、収納容器を持ち上げることにより、収納容器を寝かせずに、竪型設置のまま制御盤を取り出すことができる。
【００１０】
また、上記制御盤の具体的取り付け手段としては、請求項２に記載のように、上記収納容器内に配置される制御盤支持台上に制御盤の基部をねじ止めすると共に、上記制御盤支持台の基部を上記収納容器の基部にねじ止めするようにすればよい。
このように構成すると、ねじの締め付け及び緩めの操作で収納容器に対する制御盤の着脱を容易に行うことができる。
【００１１】
さらに、請求項３に記載のように、浮上防止構造の支柱は、収納容器の周囲に複数本設けることが望ましい。
このように構成すると、ハンドホール内が浸水した場合にも、収納容器の浮上を確実に防ぐことができる。
【００１２】
【発明の実施の形態】
本発明の地下埋設設備における制御盤の取り付け構造の一実施の形態を図１を用いて説明する。なお、図１において、図２に示す従来の防水機能を備えた地下埋設設備５０と同一の構成については図２と同一の符号を付して、説明を省略した。
図１は、収納容器４を上方から被せることにより、制御盤支持台（以下支持台という）２０及び制御盤２２を収納した状態の本発明の防水機能を備えた地下埋設設備１０を示す縦断正面図である。
同図において、マンホールポンプの制御盤等の支持台２０及び制御盤２２を収納した収納容器４の周囲に４本の支柱５ａ〜５ｄを設置する。なお、当該支柱５ａ〜５ｄは、基部５Ｂａ〜５Ｂｄにアンカーボルト３ａ〜３ｄを装着することにより、地下埋設設備のＨＬ６０の底部６０Ｂに固定されている。
また、支柱５ａ〜５ｄの上部に、断面Ｌ字状の１対の保持板６ａ、６ｂ；６ｃ、６ｄを夫々固定ボルト（固定ボルト以外の固定具でもよい）３ｅ、３ｆ；３ｇ、３ｈにより取り付けて、一方、保持板６ａ〜６ｄの底部を収納容器４の上面に固定ボルト３ｍ〜３ｐにより取り付けて収納容器４の頭部を固定することにより、収納容器４を固定保持している。
４ａ、４ｂは収納容器４をクレーン等で吊り下げるための支持具である。
この構成では、地下埋設設備用の穴が冠水し、ＨＬ６０内が浸水したとしても、上述したように収納容器４が固定されているために、収納容器４が水圧から浮力を受けても浮上することはなく、収納容器４内の支持台２０及び制御盤２２が冠水したり、収納容器４が地下埋設設備の上蓋６１を押し上げ、地面ＧＲを通行中の歩行者等を害したりするようなことは防止できる。
また、ＨＬ６０内部が浸水していないときでも、収納容器４の揺動を押さえることができるので、地震等が発生した場合でも、収納容器４と収納容器４内に収納されている支持台２０及び制御盤２２との衝突による支持台２０及び制御盤２２の損傷を防止することができる。
なお、本実施の形態では、収納容器４の周囲に４本の支柱５ａ〜５ｄを設置するという構成で説明したが、この支柱の数は制御盤の大きさに応じて増減してもよいし、また各支柱に代えて、例えば、補助板を収納容器４の周囲に設置し、同様の方法で収納容器４を底壁６０Ｂに固定する構成としても良い。
【００１３】
上記の浮上防止構造を備えた地下埋設設備の支持台２０及び制御盤２２は、収納容器４内に収納され、次のように着脱自在に収納容器４に対して取り付けられる。
即ち、図１において、５７は収納容器４を内壁底部に固定するための支持台、２２は制御盤、２０は略逆Ｕ字状の制御盤支持台で、制御盤２２は枠体状の基部２２ａを支持台２０上に対してねじ２４ａ〜２４ｄにより固定すると共に、支持台２０の脚部と収納容器４とはねじ２５ａ〜２５ｄにより着脱自在に固定される取り付け構造となっている。
なお、制御盤２２としては、図示のように、電源とシーケンサを含む必要な制御回路要素が器具の取り付け板上に接続配置して構成するのが望ましい。
【００１４】
上記構成において、制御盤２２の保守点検等のメンテナンス作業を行う場合には、作業員（図示せず）が蓋６１を取り除いて次の作業を行う。
先ず、各ボルト３ｅ〜３ｈを外すことにより支柱５ａ〜５ｄ及び保持板６ａ〜６ｄを用いた浮上防止機構から収納容器４の固定を外し、次いで、クレーンのフックを支持具４ａ、４ｂにかけて収納容器４を引き上げる。
次いで、ねじ２５ａ〜２５ｄを緩めて収納容器４と支持台２０との結合を解除する。そして、クレーンで収納容器４のみを吊り上げることにより、支持台２０に固定されたままの状態の制御盤２２が地上側に残されるため、制御盤２２の保守点検を竪型設置の状態で行うことができる。
なお、保守点検が終了した制御盤２２を収納容器４内に収納する場合には、上記とは逆の順序で、支持台２０に対して固定されている制御盤２２を収納容器４内に収納し、ねじ２５ａ〜２５ｄを収納容器４の下部と支持台２０の基部間に締め付けた後、収納容器４をＨＬ６０の底部６０Ｂに固定するなどして、浮上防止機構への取付を行えばよい。
なお、上記実施の形態では、収納容器４と支持台２０をねじで止めるようにした構成を示したが、収納容器４と支持台２０の各下部を貫通支持されるように挿着される複数の保持棒によって保持するようにしてもよい。この場合、保持棒は収納容器４に対して当て板によって支持するものとする。
【００１５】
【発明の効果】
本発明の地下埋設設備における制御盤の取り付け構造は、上記のように構成したので、次のような優れた効果を有する。
（１）請求項１に示す基本構造のものでは、保守点検の際には、支柱に対する上方の固定ボルト３ｅ〜３ｈを緩めることにより収納容器に対する浮上防止構造を解除した後、収納容器をハンドホールから取り出し、制御盤支持台と収納容器との固定を解除し、収納容器を持ち上げることにより、収納容器を寝かせずに、竪型設置のまま制御盤を取り出すことができるので、保守点検の際のメンテナンス作業を効率的に行うことができる。
（２）即ち、具体的な取り付け構造として、請求項２に記載のように、上記収納容器内に配置される支持台上に制御盤の基部をねじ止めする簡単な取り付け構成を採用すれば、製作を容易に行うことができると共に、ねじの締め付け及び緩めの操作で収納容器に対する制御盤の着脱を容易、的確に行うことができる。
（３）また、請求項３に記載のように、浮上防止構造の支柱を、収納容器の周囲に複数本設けると、ハンドホール内が浸水した場合にも、収納容器の浮上を確実に防ぐことができる。
【図面の簡単な説明】
【図１】本発明の制御盤の取り付け構造を適用した地下埋設設備の一実施の形態を示す縦断正面図である。
【図２】従来の地下埋設設備の制御盤の取り付け構造を含む概略構成を示す縦断正面図である。
【符号の説明】
４：収納容器
１０：本発明の地下埋設設備
２０：制御盤支持台
２２：制御盤
２４ａ、２４ｂ：ねじ
２５ａ〜２５ｄ：ねじ
６０Ｂ：ＨＬの底部
【図１】
0003575237.tif 000002
【図２】
0003575237.tif 000003